(57)【要約】      （修正有）【課題】多層磁気シールドルームの扉の各層の接触面と壁の各層の接触面を密着させるために真空吸着機構を用いることにより、扉と壁の密着に大気圧を利用することとなるので大きな応力を必要とせず、密着のための扉ロック機構を簡素にでき、結果的に扉の重量を軽くすることができる磁気シールドルームを提供する。【解決手段】開口部を有する壁１１０及び扉１２０を備え、壁及び扉にはそれぞれ２層以上の複数層の磁気遮蔽層が配置され、扉を閉じた状態で壁及び扉の複数の磁気遮蔽層をそれぞれ磁気的及び電気的に接続するための複数の接触面１３２−１３４が、壁及び扉の双方に設けられている磁気シールドルームであって、前記壁に設けられている複数の接触面には、前記扉の接触面と接触する位置を真空にする真空吸着機構を備えたことであり、前記扉は、ヒンジ１４０で開閉自在な構成とし、バネの応力で各磁気遮蔽層の接触面を密着させる構造にしたことである。【選択図】図１
2008140806.tif 000002
【特許請求の範囲】
【請求項１】
開口部を有する壁及び扉を備え、前記壁及び扉にはそれぞれ２層以上の複数層の磁気遮蔽層が配置され、扉を閉じた状態で壁及び扉の複数の磁気遮蔽層をそれぞれ磁気的及び電気的に接続するための複数の接触面が、壁及び扉の双方に設けられている磁気シールドルームであって、
前記壁に設けられている複数の接触面には、前記扉の接触面と接触する位置を真空にする真空吸着機構を備えたことを特徴とする磁気シールドルーム。
【請求項２】
前記扉は、ヒンジで開閉自在な構成とし、バネの応力で各磁気遮蔽層の接触面を密着させる構造である請求項１に記載の磁気シールドルーム。
【発明の詳細な説明】
【技術分野】
【０００１】
本発明は、磁気シールドルームに関し、詳しくは、開閉部分（扉）に関するものであり、更に詳しくは、例えば、微弱な脳磁場を計測する脳磁計システムなどの生体磁気計測システムなどに使用する磁気シールドルームの、扉と磁気シールドルーム壁との接触方法に関するものである。
【背景技術】
【０００２】
従来技術における、微弱な脳磁場を計測する脳磁計システムなどの生体磁気計測システムなどに使用される磁気シールドルームに採用されている扉の構造は、磁気シールドルームを構成する壁の構造を引き継ぐ形状に施工されている。
【０００３】
それは、例として図４に示すように、磁気シールドルームを構成する壁１０の構造は３層の磁気遮蔽層である最内層１１、中間層１２、最外層１３で構成されている。これらの壁１０の磁気遮蔽層に合わせるように扉２０の構造も３層の磁気遮蔽層である最内層２１、中間層２２、最外層２３で構成され、磁気シールドルームに人が出入りするために扉２０が収まる大きさに形成された扉開口部３０に扉２０を装着する構成となっている。
【０００４】
扉開口部３０は、扉２０を収納する大きさに開口され、最内層１１が一番狭い開口に構成され、次に段差を持った中間層１２が最内層１１の開口よりも広く開口され、更に中間層１２よりも広く段差を持って最外層１３が開口された構成になっている。
【０００５】
この扉開口部３０の外側には、扉２０を開閉自在に回動させるためのヒンジ４０が設けられ、ヒンジ４０と反対方向に扉２０をロック状態にする扉ロック機構部５０を設けた構成になっている。
【０００６】
扉２０は、所謂、磁気シールドルームを構成する壁１０の構造と同じく３層構造に構成され、それぞれの磁気遮蔽層が扉開口部３０の大きさに合わせた段差を持った構成になっている。即ち、最内層２１は壁１０の中間層１２の開口の広さに形成され、中間層２２は壁１０の最外層１３の開口の広さに形成され、最外層２３は壁１０の最外層１３の開口よりも広く形成されている。
【０００７】
この扉２０は、上記説明した３層構造の層に加えて、最内層２１と中間層２２はバネ３１によりそれぞれ保持され、扉２０自体はヒンジ４０に回動自在に取り付けられ、ヒンジ４０に取り付けられる反対方向にロック機構部５０を設けた構成になっている
【０００８】
このような構成の扉２０においては、ヒンジ４０により回動自在な扉２０を閉めたときにロック機構部５０をロックさせることにより扉２０は磁気シールドルームの壁１０に固定される。
【０００９】
扉２０がロック機構部５０により固定されたときに、壁１０の最内層１１の外周端部３２（接触面）が扉２０の最内層２１の外面２４に接触し、壁１０の中間層１２の外周端部３３（接触面）が扉２０の中間層２２の内周外面２６に接触し、壁１０の最外層１３の外周端部３４（接触面）が扉２０の最外層２３の内周外面２８に接触し、その接触状態、即ち、各層間幅の寸法誤差はバネ３１により吸収される。
これにより、磁気シールドルーム壁１０を構成する各層と扉２０の各層が接触面において接触する。
【特許文献１】特開平８−７８８７８号公報（第４頁  第１図）
【発明の開示】
【発明が解決しようとする課題】
【００１０】
従来技術で説明した扉構造において、多層の扉と壁を接触面にて密着させることは困難であり、各層間にバネを配置して層間幅の寸法誤差を吸収し、接触精度を上げる必要がある。
しかし、このようにバネを用いた方法だと扉を壁に接触させるためには大きな応力が必要となり、そのため大がかりな扉ロック機構を付属することにより重量が極めて大きいものになってしまうという問題がある。
【００１１】
従って、従来の扉と壁の接触方法とは異なった方法を用いた磁気シールドルーム用扉を提供し、シールド性能を向上させることに解決しなければならない課題を有する。
【課題を解決するための手段】
【００１２】
上記課題を解決するために、本願発明の磁気シールドルームは、次に示す構成にしたことである。
【００１３】
（１）磁気シールドルームは、開口部を有する壁及び扉を備え、前記壁及び扉にはそれぞれ２層以上の複数層の磁気遮蔽層が配置され、扉を閉じた状態で壁及び扉の複数の磁気遮蔽層をそれぞれ磁気的及び電気的に接続するための複数の接触面が、壁及び扉の双方に設けられている磁気シールドルームであって、前記壁に設けられている複数の接触面には、前記扉の接触面と接触する位置を真空にする真空吸着機構を備えたことである。
（２）前記扉は、ヒンジで開閉自在な構成とし、バネの応力で各磁気遮蔽層の接触面を密着させる構造である（１）に記載の磁気シールドルーム。
【発明の効果】
【００１４】
本発明では、多層磁気シールドルームの扉の各層の接触面と壁の各層の接触面を密着させるために真空吸着機構を用いることにより、扉の各層の接触面と壁の各層の接触面との間を真空状態にすることにより、接触面間の密着に大気圧を利用することとなるので大きな応力を必要とせず、密着のための扉ロック機構を簡素にでき、結果的に扉の重量を軽くすることができる。
【発明を実施するための最良の形態】
【００１５】
次に、本願発明に係る磁気シールドルームの実施例について図面を参照して説明する。
【００１６】
本発明に係る磁気シールドルームは、扉に改良を加えたもので、従来技術で説明した磁気シールドルームと同じく複数層の磁気遮蔽層、実施例においては３層の壁で形成され、その３層の壁と同様に３層にして且つバネによる各層間幅の寸法誤差を吸収する構成にし、加えて、各層の接触面をより一層確実に接触させるために、各層の接触面を真空状態にする真空吸着機構を加えることで扉ロック機構の簡素化を図ったものである。
【００１７】
本発明の磁気シールドルームは、例として図１に示すように、３層構造の壁１１０で閉鎖された構造となっており、その一部に扉１２０を取付けるための扉開口部１３０を設けた構造となっている。
扉１２０を取付ける扉開口部１３０の近傍位置には扉１２０を回動自在に開閉するためのヒンジ１４０を上下に２個設け、ヒンジ１４０と反対側に扉１２０をロックするための扉ロック機構１５０を設けた構造となっている。
【００１８】
扉１２０には、扉１２０の周囲に環状に扉開口部１３０を構成する各層の面にそれぞれ接触する接触部（最内層接触部１３２、中間層接触部１３３、最外層接触部１３４）を設けた構成になっている。
扉開口部１３０には、扉１２０の接触部に接触する位置に空気を吸込むための空気吸込み口（図２に示す最内層空気吸込み口１４１、中間層空気吸込み口１４２、最外層空気吸込み口１４３）を設け、この空気吸込み口を取り囲むように形成したダンパー（最内層ダンパー１４４、中間層ダンパー１４５、最外層ダンパー１４６）を設け、この空気吸込み口から吸込んだ空気を吸入するための配管（最内層配管１４７、中間層配管１４８、最外層配管１４９）は途中で束ねられて一つの配管１５４に繋がっている。この配管１５４は空気を吸込んで真空にする真空排気装置１５２に連設されている。
【００１９】
このような構成の真空吸着扉においては、先ず、扉１２０を閉め、扉ロック機構１５０にロック機構部１５１を係合させて扉１２０をロックする。その後、磁気シールドルーム外に配置された真空排気装置１５２とそれに接続されている配管１５４を用いて空気吸込み口からダンパー内の空気を吸出して真空状態にする。
ダンパー内が真空状態になったことにより扉１２０は外側から大気圧で押され、壁との接触部で密着される。
【００２０】
さて、図２及び図３は、磁気シールドルームに設けた扉と扉開口部側に設けた真空吸着機構の構成を部分拡大して示したものである。
【００２１】
磁気シールドルームを構成する壁１１０の構造は３層の磁気遮蔽層である最内層１１１、中間層１１２、最外層１１３で構成されている。これらの壁１１０の磁気遮蔽層に合わせるように扉１２０の構造も３層の磁気遮蔽層である最内層１２１、中間層１２２、最外層１２３で構成され、磁気シールドルームに出入りするために扉１２０が収まる大きさに形成された扉開口部１３０に扉１２０を装着する構成となっている。
【００２２】
扉開口部１３０は、扉１２０を収納する大きさに開口され、最内層１１１が一番狭い開口に構成され、次に段差を持った中間層１１２が最内層１１１の開口よりも広く開口され、更に中間層１１２よりも広く段差を持って最外層１１３が開口された構成になっている。
【００２３】
この扉開口部１３０の外側には、扉１２０を開閉自在に回動させるためのヒンジ１４０（図１参照）が設けられ、ヒンジ１４０と反対方向に扉１２０をロック状態にするロック機構部１５１を設けた構成になっている。
【００２４】
更に、この扉開口部１３０には、真空吸着機構が備えられている。真空吸着機構は、最内層１１１の段差の部分が磁気的及び電気的に接続するための壁最内層接触面１２５であり、この壁最内層接触面１２５に緩衝するための最内層ダンパー１４４を設け、最内層ダンパー１４４で囲まれた位置に最内層空気吸込み口１４１を設け、最内層空気吸込み口１４１は最内層１１１に埋め込まれて形成された最内層配管１４７に連設した構成になっている。
【００２５】
中間層１１２の段差の部分が磁気的及び電気的に接続するための壁中間層接触面１２７であり、この壁中間層接触面１２７に緩衝するための中間層ダンパー１４５を設け、中間層ダンパー１４５で囲まれた位置に中間層空気吸込み口１４２を設け、中間層空気吸込み口１４２は中間層１１２に埋め込まれて形成された中間層配管１４８に連設した構成になっている。
【００２６】
最外層１１３の段差の部分が磁気的及び電気的に接続するための壁最外層接触面１２９であり、この壁最外層接触面１２９に緩衝するための最外層ダンパー１４６を設け、最外層ダンパー１４６で囲まれた位置に最外層空気吸込み口１４３を設け、最外層空気吸込み口１４３は最外層１１３に埋め込まれて形成された最外層配管１４９に連設した構成になっている。
【００２７】
扉１２０は、所謂、磁気シールドルームを構成する壁１１０の構造と同じく３層構造に構成され、それぞれの磁気遮蔽層が扉開口部１３０の大きさに合わせて段差を持って外側の磁気遮蔽層が順次に広くなるように構成されている。
即ち、内側から最内層１２１、段差を持って中間層１２２、やはり段差を持って最外層１２３の３層で構成され、段差の部分が接触面（扉最内層接触面１２４、扉中間層接触面１２６、扉最外層接触面１２８）になり、その接触面の端部に接触部（最内層接触部１３２、中間層接触部１３３、最外層接触部１３４）を備えた構成になっている。
【００２８】
最内層１２１と中間層１２２はバネ１３１によりそれぞれ保持され、扉１２０自体はヒンジ１４０（図１参照）に回動自在に取り付けられ、ヒンジ１４０に取り付けられる反対方向に扉ロック機構１５０を設けた構成になっている
【００２９】
このように磁気遮蔽層に段差を持たせた構成の扉１２０において、扉１２０を閉めたときに壁１１０の最内層１１１に形成されている壁最内層接触面１２５に扉１２０の最内層１２１の扉最内層接触面１２４に設けた最内層接触部１３２が接触する。同様に、壁中間層接触面１２７に扉１２０の中間層１２２の扉中間層接触面１２６に設けた中間層接触部１３３が接触し、壁最外層接触面１２９に扉１２０の最外層１２３の扉最外層接触面１２８に設けた最外層接触部１３４が接触する。各層の接触面が接触する際に、バネ１３１により各層間幅の寸法誤差を吸収する。
【００３０】
そして、接触部（最内層接触部１３２、中間層接触部１３３、最外層接触部１３４）が接触面（壁最内層接触面１２５、壁中間層接触面１２７、壁最外層接触面１２９）に接触すると同時に、接触面がダンパー（最内層ダンパー１４４、中間層ダンパー１４５、最外層ダンパー１４６）にも接触する。この状態で空気吸込み口（最内層空気吸込み口１４１、中間層空気吸込み口１４２、最外層空気吸込み口１４３）から空気を吸込むことで接触面同士の空間を真空状態にすることにより壁１１０の各層の接触面（壁最内層接触面１２５、壁中間層接触面１２７、壁最外層接触面１２９）と扉１２０の各層の接触面（扉最内層接触面１２４、扉中間層接触面１２６、扉最外層接触面１２８）が一層密着した状態になる。
【００３１】
このように、壁の各層の接触面と扉の各層の接触面を密着させるために、接触面間を真空状態にすることで各層との接触状態を良好に維持することができる。
【産業上の利用可能性】
【００３２】
多層磁気シールドルームの扉の各層の接触面と壁の各層の接触面を密着させるために真空吸着機構を用いることにより、扉と壁の密着に大気圧を利用することとなるので大きな応力を必要とせず、密着のための扉ロック機構を簡素にでき、結果的に扉の重量を軽くすることができる磁気シールドルームを提供する。
【図面の簡単な説明】
【００３３】
【図１】本願発明の磁気シールドルームを略示的に示した説明図である。
【図２】同、壁と扉の部分を拡大して示した説明図である。
【図３】同、扉を閉めた状態を拡大して示した説明図である。
【図４】従来技術における壁と扉の関係を示した説明図である。
【符号の説明】
【００３４】
１１０      壁
１１１      最内層
１１２      中間層
１１３      最外層
１２０      扉
１２１      最内層
１２２      中間層
１２３      最外層
１２４      扉最内層接触面
１２５      壁最内層接触面
１２６      扉中間層接触面
１２７      壁中間層接触面
１２８      扉最外層接触面
１２９      壁最外層接触面
１３０      扉開口部
１３１      バネ
１３２      最内層接触部
１３３      中間層接触部
１３４      最外層接触部
１４０      ヒンジ
１４１      最内層空気吸込み口
１４２      中間層空気吸込み口
１４３      最外層空気吸込み口
１４４      最内層ダンパー
１４５      中間層ダンパー
１４６      最外層ダンパー
１４７      最内層配管
１４８      中間層配管
１４９      最外層配管
１５０      扉ロック機構
１５１      ロック機構部
１５２      真空排気装置
１５４      配管。
【図１】
2008140806.tif 000003
【図２】
2008140806.tif 000004
【図３】
2008140806.tif 000005
【図４】
2008140806.tif 000006